(57)【特許請求の範囲】
【請求項１】
発信機からの電波信号を受信する受信機と、受信機からの電波信号を受信して制御対象物を制御する制御装置と、制御装置と制御対象物とを接続した制御対象用電線の途中に設けられ、かつ前記受信機を設けてなる通電金具とを備え、前記通電金具は、扉の吊元側に対向する枠の端面側に埋設され、かつ、長穴状の開口部を有するフロント板部と、該フロント板部と連結されると共に前記フロント板部の開口部と連通する空間部を有するケース状部とを有する枠側電線ケースと、扉の吊元側の端面側に埋設され、かつ、長穴状の開口部を有するフロント板部と、該フロント板部と連結されると共に前記フロント板部の開口部と連通する空間部を有するケース状部とを有する扉側電線ケースとで構成してある電波式キーシステムにおいて、
前記枠側電線ケースのケース状部の空間部には、前記受信機を設けてあることを特徴とする電波式キーシステム。
【請求項２】
前記枠側電線ケースのケース状部と、扉側電線ケースのケース状部とは、プラスチックで形成してある請求項１に記載の電波式キーシステム。
【発明の詳細な説明】
【０００１】
【発明の属する技術分野】
本発明は、住宅や集合住宅やビル等の出入口を管理するために、該出入口に設けた出入口扉の電気錠の施錠・解錠や、自動ドアの開閉等を行なう電波式キーシステムに関する。
【０００２】
【従来の技術】
従来、この種の電波式キーシステムとしては、
（イ）  図３に示すように、ＩＤデータを電波信号で送信する電波キー等の発信機０１と、発信機０１からの電波信号を受信するため室外に設けたアンテナ等の受信機０２と、受信機０２からの電波信号を受信して電気錠等の制御対象物０７を施解錠または開閉させるように制御する制御装置（制御盤）０３と、制御装置０３と制御対象物０７とを電気的に接続した制御対象用電線０４と、枠ａの開口部端面側と扉ｂの吊元端面側との間に設けて前記制御対象用電線０４を貫通するための通電金具０５と、受信機０２と制御装置０３とを電気的に接続した受信機用電線０６などからなっている。
【０００３】
前記制御装置０３には、受信機０２の受信した電波信号を読み取るＩＤデータ読取り部と、ＩＤデータを予め記憶させるＩＤデータ記憶部などを少なくとも有している。発信機０１には、ロックボタンとアンロックボタンを設けているが、１個の押しボタンでもよい。また、制御装置０３はマイクロコンピューターを中心として構成されている。
【０００４】
この電波式キーシステムの発信機０１のロックボタンまたはアンロックボタンを、制御対象物０７から離れた位置から押すことにより、発信機０１からのＩＤデータである入力信号が受信機０２を介して制御装置０３のＩＤデータ読取り部に送られ、ＩＤデータ記憶部に予め記憶されているＩＤデータとをデータ比較部により照合して、両データが一致したとき一致信号が送出され、この送出された一致信号に基づいて、制御対象物０７である電気錠０８が施解錠されたり、自動ドアが開閉されるようになっている。図３で、０８ａは錠ケース、０８ｂは錠杆である。
【０００５】
（ロ）  また、図３において、受信機用電線０６をなくして、同図で仮想線で示したアンテナ等の受信機０２を制御装置０３に取り付けるとともに、該制御装置０３を出入口を形成する枠ａの室内側の縦框などに取り付け、その他の構成は図３のように設けた電波式キーシステムも知られている。
【０００６】
【発明が解決しようとする課題】
しかるに、上記従来例（イ）の電波式キーシステムでは、必須である制御対象用電線０４と受信機用電線０６との２本の電線を配線しなければならないため、特に受信機用電線０６分だけ余計な配線工事が必要となり、配線工事が手間どるとともに、受信機用電線０６分の費用がかさむものであった。しかも、この場合の受信機（アンテナ）は室外に設けているため、外観上見苦しいという問題があった。
【０００７】
従来例（ロ）の電波式キーシステムでは、上記問題点は解消されるものの、受信機（アンテナ）が室内側に設けてあることから、その受信機（アンテナ）の設けてある設置場所、または制御対象物が設けられた扉や建物の材質・構造によって、室外の発信機から発信する電波を受信機が受信できなかったり、受信感度が悪くなったりして、受信機の受ける電波の受信感度（受信範囲）にバラつきがあった。例えば、受信機が電波を受信し難い場所に設置してあるとか、扉が鉄製又はコンクリート製など電波を通し難い材質などの場合には、受信機の受信感度が悪くなる。
【０００８】
本発明は、従来例（イ）、（ロ）の有する問題点を解決しようとするものであり、発信機からの電波を受信する受信機を枠に埋設される通電金具の枠側電線ケースのケース状部に設けることにより、扉や建物の材質・構造を問わず、受信機の受信する電波の受信感度（受信範囲）のバラつきを解消して一定かつ安定的に受信でき、受信機の設置場所が外観上見苦しくないようにするとともに、受信機が扉の開閉に影響されない等の電波式キーシステムを提供することを目的とする。
【０００９】
【課題を解決するための手段】
上記目的を達成すため、本発明の請求項１の電波式キーシステムは、発信機からの電波信号を受信する受信機と、受信機からの電波信号を受信して制御対象物を制御する制御装置と、制御装置と制御対象物とを接続した制御対象用電線の途中に設けられ、かつ前記受信機を設けてなる通電金具とを備え、前記通電金具は、扉の吊元側に対向する枠の端面側に埋設され、かつ、長穴状の開口部を有するフロント板部と、該フロント板部と連結されると共に前記フロント板部の開口部と連通する空間部を有するケース状部とを有する枠側電線ケースと、扉の吊元側の端面側に埋設され、かつ、長穴状の開口部を有するフロント板部と、該フロント板部と連結されると共に前記フロント板部の開口部と連通する空間部を有するケース状部とを有する扉側電線ケースとで構成してある電波式キーシステムにおいて、前記枠側電線ケースのケース状部の空間部には、前記受信機を設けてあることを特徴とする。
【００１０】
ここで、発信機とは、電波キーなどの非接触型に限らず、テンキーなどの接触型のものでもよい。
【００１１】
また、通電金具の形状や構造は、本発明では特に限定せず適宜選定できる。
【００１２】
通電金具は、扉の吊元側に対向する枠の端面側に埋設した枠側電線ケースと、扉の吊元側の端面側に埋設した扉側電線ケースとで構成し、前記枠側電線ケースのケース状部の空間部に前記受信機を設けてある。
これによって、枠と扉との間の隙間から発信機からの電波が通り易いので、受信機の電波の受信感度が向上すると共に、受信機を枠の表面に設置する必要もなく外観も見苦しくなくなる。
【００１３】
ここで、枠側電線ケースと扉側電線ケースとは、枠と扉とに対向して設ける方が望ましい。また、枠側電線ケースと扉側電線ケースとは、枠と扉の左側又は右側に限らず、上側に設けることもできる。
【００１４】
この場合において、枠側電線ケースは扉の吊元側に対向する枠の端面側に形成した切欠部に埋設して、該枠側電線ケースのケース状部の空間部に前記受信機を設けるとともに、扉側電線ケースは扉の吊元側の端面側に形成した切欠部に埋設してある。これによれば、受信機は枠側に埋設した枠側電線ケースに設けてあるので、扉の開閉に影響されない上に、扉の開放端側（自由端側）に比べて該通電金具に挿通された制御対象用電線の回動角度も小さく、扉の開閉操作時における制御対象用電線の屈曲長さが小さくできる。
【００１５】
なお、制御対象用電線と受信機用電線とを、制御装置から枠側電ケースに至る区間において、１つの電線管内に収納してある方が好ましい。
これによって、電線の配線工事の簡便化と工事時間の短縮化とが図れる。
【００１６】
本発明の請求項２の電波式キーシステムは、前記枠側電線ケースのケース状部と、扉側電線ケースのケース状部とは、プラスチックで形成してある。
【００１７】
【発明の実施の形態】
本発明の実施の形態を図１及び図２に基づいて以下に説明する。
この実施形態の電波式キーシステムは、図１に示すように、枠ａの開口部ａ１には、該開口部ａ１を開閉するために、扉ｂの吊元側を枠ａにヒンジ１０によって回動自在に枢支するとともに、扉ｂの自由端側（開放端側）には制御対象物７が取り付けてある。そして、ＩＤデータを電波信号で送信する電波キー等の発信機１と、発信機１からの電波信号を受信するため後述する個所に設けたアンテナ等の受信機２と、受信機２からの電波信号を受信して電気錠８や自動ドア等の制御対象物７を施解錠また開閉させるように制御する制御装置（制御盤）３と、制御装置３と制御対象物７とを電気的に接続した制御対象用電線４と、枠ａの開口部ａ１端面側と扉ｂの吊元端面側との間に設けて前記制御対象用電線４を貫通するための通電金具５と、受信機２と制御装置３とを電気的に接続した受信機用電線６などからなっている。
【００１８】
前記制御装置３には、従来例の図３と同様に、周知の如く、受信機２の受信した電波信号を読み取るＩＤデータ読取り部（図示せず）と、ＩＤデータを予め記憶させるＩＤデータ記憶部（図示せず）などを少なくとも有している。発信機１には、ロックボタンとアンロックボタンを設けているが、１個の押しボタンでもよい。また、制御装置３はマイクロコンピューターを中心として構成されている。
【００１９】
この電波式キーシステムの作用は前記従来例の場合と同様である。すなわち、発信機１のロックボタンまたはアンロックボタンを、制御対象物７から離れた位置から押すことにより、発信機１からのＩＤデータである入力信号が受信機２を介して制御装置３のＩＤデータ読取り部に送られ、ＩＤデータ記憶部に予め記憶されているＩＤデータとをデータ比較部により照合して、両データが一致したとき一致信号が送出され、この送出された一致信号に基づいて、制御対象物７である電気錠８が施解錠されたり、自動ドアが開閉されるようになっている。
【００２０】
前記通電金具５は、扉ｂの吊元側に対向する枠ａの端面側に形成された切欠部ａ２内に埋設された枠側電線ケース５Ａと、扉ｂの吊元側の端面側に形成された切欠部ｂ１内に埋設された扉側電線ケース５Ｂとで構成し、該枠側電線ケース５Ａに前記受信機２を設けてある。
【００２１】
前記枠側電線ケース５Ａと扉側電線ケース５Ｂとは、この実施形態では図２に示すように、共に金属などの剛体でフロント板部５１、５５とケース状部５２、５６とで構成されている。フロント板部５１、５５には制御対象用電線４が貫通できるように長穴状の開口部５１ａ、５５ａが形成されている。また、ケース状部５２、５６には制御対象用電線４が貫通でき、かつフロント板部５１、５５の開口部５１ａ、５５ａと連通した空間部５２ａ、５６ａが形成されている。
【００２２】
そして、一方、扉ｂの吊元側に対向する枠aの端面側に形成された切欠部ａ２には、枠側電線ケース５Ａのケース状部５２を嵌め込むとともに、フロント板部５１の上下部をネジ２０、２１で枠ａの切欠部ａ２の上下端面に固定する。
【００２３】
同様に、扉ｂの吊元側の端面の一部には切欠部ｂ１を形成し、この切欠部ｂ１に扉側電線ケース５Ｂのケース状部５６を嵌め込むとともに、フロント板部５５の上下部をネジ２２、２３で扉ｂの切欠部ｂ１の上下端面に固定する。
【００２４】
枠側電線ケース５Ａのケース状部５２における後部壁５２ｃの内側の空間部５２ａには、平板型のアンテナからなる受信機２の一端側がネジなどの固定部材５３で固定され、該受信機２の他端側は前記後部壁５２ｃの他端側に形成した挿通孔５２ｄから外部に露出されており、この受信機２の他端部にはコネクター５４が設けられ、該コネクター５４は、前記制御装置３の受信機用電線６の端部に設けられたコネクター５４ａに接続され、受信機２と制御装置３とが接続される。
【００２５】
また、枠側電線ケース５Ａのケース状部５２の後部壁５２ｃの他端部には前記挿通孔５２ｄより上方位置に挿通口５２ｂが形成され、この挿通口５２ｂに制御対象用電線４の一端側が挿通されている。５７は制御対象用電線４の一端に設けたコネクターで、制御対象用電線４の一端に設けられたコネクター５７ａに接続されて制御装置３に接続されている。
【００２６】
前記制御対象用電線４と受信機用電線６とは、制御装置３から枠側電線ケース５Ａに至る区間において、前記コネクター５４、５４ａ、５７、５７ａは１対の雌雄コネクターで結合し、両端のコネクター５４ａ、５４ａ間の受信機用電線６と、両端のコネクター５７ａ、５７ａ間の制御対象用電線４とを１つの電線管１１で被覆してある。従って、配線工事としては、通電金具５及び制御装置３側のコネクター５４、５７に、前記１つの電線管１１に収納されている制御対象用電線４及び受信機用電線６のコネクター５４ａ、５７ａを接続するだけでよいので、配線工事が簡単で配線工事時間が短縮できる。
【００２７】
扉側電線ケース５Ｂのケース状部５６の後部壁５６ｃの他端部（上端部）には挿通口５６ｂが形成され、この挿通口５６ｂに制御対象用電線４が挿通されており、この制御対象用電線４はコネクター５８、５９を介して制御対象物７である電気錠８に接続されている。電気錠８は周知の如く錠ケース８ａと錠杆８ｂなどの施解錠機構が設けられている。
【００２８】
枠側電線ケース５Ａの挿通口５２ｂから扉側電線ケース５Ｂの挿通口５６ｂまでの制御対象用電線４は、保護ばね又はスパイラルチューブ６０で被覆されている。
【００２９】
枠側電線ケース５Ａと扉側電線ケース５Ｂとを枠ａ又は扉ｂに取り付けた場合は、図２に示すように、枠ａと扉ｂとの間に隙間３０が形成される。従って、室外から発信機１を受信機２に近づけると、発信機１からの電波は、前記隙間３０から枠側電線ケース５Ａのフロント板部５１の開口部５１ａ及びケース状部５２の空間部５２ａを支障なく通過して受信機２で効率よく且つ安定して受信される結果、受信感度（受信範囲）が向上される。しかも、枠ａに取り付けた枠側電線ケース５Ａには開口部５１ａ及び空間部５２ａが形成されているため、上記隙間３０があるのに加えて、この開口部５１ａ及び空間部５２ａからも発信機１からの電波が受信機２で一層効率よく且つ安定して受信され、受信感度（受信範囲）が一層向上される。と共に、受信機を枠の表面に設置する必要もなく外観も見苦しくなくなる。
【００３０】
【変形例等】
受信機２は、本実施形態では平板状のものを固定部材で固定しているが、ケース状部５２、５６をプラスチックで形成して、これに受信機２をインサート成形などによって一体に形成することもできる。また、受信機２の形状は平板状のものに限定されず、棒状その他の形状のものでもよい。
【００３１】
制御対象物７としては、本実施形態では電気錠８が示されているが、自動ドアにも実施できるし、その他にも適用し得るものである。
【００３２】
制御対象用電線４と受信機用電線６とは、狭義の電線、ケーブル、コード等を含む広義のものを言う。
【００３３】
本発明の受信機２は、図１で仮想線５で示すように、枠ａの天板部と扉ｂの上端部との間、扉ｂの開放端（自由端）側と枠ａとの間に通電金具５を設け、この通電金具５に受信機２を設けることもできる。
【００３４】
【発明の効果】
請求項１の電波式キーシステムによれば、受信機は、枠の端面側に埋設される枠側電線ケースのケース状部の空間部に設けてあるので、受信機やその受信機用電線は扉の開閉に影響されない上に、受信機を枠の表面に設置する必要もなく外観も見苦しくない。また、発信機からの電波は、枠と扉との間の隙間から枠側電線ケースのフロント板部の長穴状の開口部を経てケース状部の空間部を通過して受信機で効率よく且つ安定して受信される結果、受信感度が向上される。さらに、扉の開放端側（自由端側）に比べて該通電金具に挿通された制御対象用電線の回動角度も小さく、扉の開閉操作時における制御対象用電線の屈曲長さが小さくできる。
【００３５】
なお、請求項１の電波式キーシステムによれば、発信機からの電波を受信する受信機を通電金具の枠側電線ケースに設けることにより、従来例に比べて、扉や建物の材質・構造を問わず、受信機の受信する電波の受信感度（受信範囲）のバラつきを解消して一定かつ安定的に受信でき、受信機の設置場所が外観上見苦しくなくなる。また、枠と扉との間の隙間から発信機からの電波が通り易いので、受信機の電波の受信感度が向上する。
【００３６】
請求項２の電波式キーシステムによれば、前記枠側電線ケースのケース状部と、扉側電線ケースのケース状部とは、プラスチックで形成してあるので、受信機を枠側電線ケースにインサート成形などによって一体に形成することができる。
【図面の簡単な説明】
【図１】  本発明の実施の形態における電波式キーシステムの全体を示す概略構成図である。
【図２】  図１における通電金具の拡大断面図である。
【図３】    従来例の電波式キーシステムの全体を示す概略構成図である。
【符号の説明】
１      発信機
２      受信機
３      制御装置
４      制御対象用電線
５      通電金具
５Ａ    枠側電線ケース
５Ｂ    扉側電線ケース
６      受信機用電線
７      制御対象物
８      電気錠
１１    電線管
３０    隙間
５１    フロント板部
５１ａ  開口部
５２    ケース状部
５２ａ  空間部
５５    フロント板部
５５ａ  開口部
５６    ケース状部
５６ａ  空間部
６０    保護ばね又はスパイラルチューブ
ａ      枠
ａ２    切欠部
ｂ      扉
ｂ１    切欠部
【図１】
0004439720.tif 000002
【図２】
0004439720.tif 000003
【図３】
0004439720.tif 000004